(57)【要約】  主として３６０度の２Ｄ及び／又は３Ｄ映画館を構成する娯楽構造体及び装置。観衆メンバーのための座席は、円形移動ベース壇に配列することができる。複合曲線スクリーンが上から降下されて、円形移動ベース壇上の座席を取り巻き、シームレスなメディアを与える。２Ｄ／３Ｄ投影システムが、構造体内で、縁混合のための投影重畳部を通してスクリーン上に２Ｄ／３Ｄ映像を与えるよう方向付けされる。制御システムを使用して、移動ベース壇の回転、ピッチ及びロール運動を与える。制御システムは、メディアの上映と同期させることができる。この構造体は、種々の座席方向、固定スクリーン、種々のスクリーン構成、及びモジュラートラック移動座席のような多数の変形態様を含む。【選択図】図１
2009528086.tif 000002
【特許請求の範囲】
【請求項１】
移動ベースと、
前記移動ベース上の座席と、
前記座席を少なくとも部分的に取り巻く実質的に連続的なスクリーンと、
を備えた劇場。
【請求項２】
前記スクリーンは、前記移動ベースとは独立しており、前記スクリーンは、上昇位置と下降位置との間で垂直方向に移動可能である、請求項１に記載の劇場。
【請求項３】
前記スクリーンは、２つの次元に曲率を有する、請求項１に記載の劇場。
【請求項４】
前記スクリーンは、ドーム状である、請求項１に記載の劇場。
【請求項５】
前記スクリーンは、多角形を形成するフラットセグメントで構成される、請求項１に記載の劇場。
【請求項６】
前記座席は、段で設けられ、前記座席の段は、前記移動ベース上にカーブした行で配列される、請求項１に記載の劇場。
【請求項７】
前記座席は、半径方向内方を向いている、請求項１に記載の劇場。
【請求項８】
前記座席は、半径方向外方を向いている、請求項１に記載の劇場。
【請求項９】
前記座席は、劇場の中心線の片側に配列される、請求項１に記載の劇場。
【請求項１０】
前記移動ベースは、回転、ピッチ及びロール運動を与える、請求項１に記載の劇場。
【請求項１１】
前記スクリーンに実質的にシームレスの縁混合映像を与えるように配列された複数の２Ｄ及び／又は３Ｄプロジェクタを更に備えた、請求項１に記載の劇場。
【請求項１２】
メディアの上映を前記移動ベースの移動と整合するように動作できる制御システムを更に備えた、請求項１に記載の劇場。
【請求項１３】
前記制御システムは、前記移動ベースを全３６０度において、傾斜、ピッチ及びロール運動させるよう動作できる駆動手段の動作を制御するように動作可能である、請求項１２に記載の劇場。
【請求項１４】
前記制御システムは、前記移動ベースを２つの方向に回転するよう動作できる駆動手段の動作を制御するように動作可能である、請求項１２に記載の劇場。
【請求項１５】
前記制御システムは、メディアの上映とは独立して動作できる、請求項１２に記載の劇場。
【請求項１６】
前記制御システムは、前記移動ベースの移動とメディアの上映を整合させる、請求項１２に記載の劇場。
【請求項１７】
前記スクリーンは、円筒状である、請求項１２に記載の劇場。
【請求項１８】
サラウンドサウンドオーディオシステムを更に備えた、請求項１に記載の劇場。
【請求項１９】
各チャンネルに各スピーカを含むマルチチャンネルオーディオシステムを更に備えた、請求項１８に記載の劇場。
【請求項２０】
前記座席は、トラックシステム上を劇場内へ及び劇場から移動し及び回転するモジュールを含む、請求項１に記載の劇場。
【請求項２１】
移動ベースと、
前記移動ベースにおける座席の段と、
前記座席の周りに実質的に完全に延びるスクリーンと、
を備えた劇場。
【請求項２２】
前記劇場の中心位置の付近にプロジェクタを更に備え、該プロジェクタは、前記スクリーンへ半径方向外方に映像を投影する、請求項２１に記載の劇場。
【請求項２３】
前記スクリーンは、カーブしていて、実質的に連続的に座席を取り巻く、請求項２１に記載の劇場。
【請求項２４】
前記スクリーンの半径方向外側にプロジェクタを備え、該プロジェクタは、前記スクリーンの背面に映像を投影する、請求項２１に記載の劇場。
【請求項２５】
前記スクリーンは、ＬＥＤスクリーンのような自己照明ディスプレイを含む、請求項２１に記載の劇場。
【請求項２６】
フロアエリアから前記移動ベース上の座席まで通じている階段を更に備えた、請求項２１に記載の劇場。
【請求項２７】
前記座席の少なくとも幾つかは、芳香、ネックブラスト、ウインドブラスト、レッグチクラー、及びシートランブルのような特殊効果を含む、請求項２１に記載の劇場。
【請求項２８】
前記スクリーンを垂直方向に持ち上げ及び下降するためのスクリーンリフタを更に備えた、請求項２１に記載の劇場。
【請求項２９】
前記移動ベースは、ピッチ、ロール、ヨー、スピン、波打ち、サージ、及びヨーの運動のうちの１つ以上を与えるようにされる、請求項２１に記載の劇場。
【請求項３０】
前記座席は、前記移動ベースへ及び移動ベースから移動できるビヒクルを備えた、請求項２１に記載の劇場。
【請求項３１】
前記移動ベースにトラックセクションを更に備え、前記ビヒクルは、１つ以上のトラックセクション上でロール運動するためのホイールを有する、請求項３０に記載の劇場。
【請求項３２】
劇場内の２つ以上の位置にリフト、エレベータ、跳ね橋、又は動く通路を更に備えた、請求項２１に記載の劇場。
【請求項３３】
座席の段と、
前記座席の段を実質的に取り巻くスクリーンと、
前記座席を移動するために前記座席に取り付けられた座席移動アクチュエータと、
前記スクリーンに動画を投影するように配置された少なくとも１つのプロジェクタと、
前記座席移動アクチュエータ及び前記プロジェクタにリンクされて、動画を前記座席の移動と整合させるためのコントローラと、
を備えた劇場。
【請求項３４】
上から懸架される座席の行と、
前記座席に対して移動可能なスクリーンであって、前記座席を実質的に取り巻く位置へ移動可能なスクリーンと、
前記座席を移動するために前記座席に取り付けられた座席移動アクチュエータと、
前記スクリーンに動画を投影するように配置された少なくとも１つのプロジェクタと、
前記座席移動アクチュエータ及び前記プロジェクタにリンクされて、動画を前記座席の移動と整合させるためのコントローラと、
を備えた劇場。
【請求項３５】
前記座席移動アクチュエータは、前記座席を前方及び後方にピッチ運動させる、請求項３４に記載の劇場。
【請求項３６】
前記座席は、回転可能な座席フレームに支持される、請求項３４に記載の劇場。
【請求項３７】
移動ベースに支持された座席に個人を着座させるステップであって、個人が、彼らを少なくとも部分的に取り巻いて延びるカーブしたスクリーンを向くようにするステップと、
前記スクリーンに動画映像を投影するステップと、
前記投影された動画映像と同期して前記移動ベースを移動するステップと、
を備えた方法。
【請求項３８】
前記座席の上の第１位置から、スクリーンが個人を少なくとも部分的に取り巻いて延びる位置へと前記スクリーンを移動するステップを更に備えた、請求項３７に記載の方法。
【請求項３９】
前記スクリーン及び個人を高いに回転させるステップを更に備えた、請求項３７に記載の方法。
【発明の詳細な説明】
【技術分野】
【０００１】
本発明は、一般に、映画館に係り、より詳細には、動画上映への没入感を与える構造物に係る。
【背景技術】
【０００２】
慣習的に、映画館は、固定スクリーンと、スクリーンに向かう固定の座席とを有する。特に、ライブステージ上演には、観衆がステージを取り巻く円形又は多角形劇場が知られている。
【０００３】
丸い又は多角形の形状と、ドーム型スクリーンとを有する映画館も知られている。これらの劇場では、観衆が一般的に固定の座席に座り、彼らの上及び周りにスクリーンが見える。
【０００４】
又、この技術では、トレーニング目的及び娯楽の両方のための種々のシミュレーション構造物も知られている。例えば、ドライブやフライトトレーニングの場合に、この構造物は、操向輪、ジョイスティック、又はスクリーン表示とインターフェイスするための他のメカニズムを含むことができる。娯楽用の設定では、座席壇が１−６のＤＯＦ（自由度）の移動を含むことができる。
【発明の開示】
【発明が解決しようとする課題】
【０００５】
従って、没入感の向上を含む改良された劇場体験を提供することが望まれる。
【課題を解決するための手段】
【０００６】
映画館の形態の娯楽構造物は、劇場の特定の用途及びメディアの創作内容に基づいて、その外部が任意の形状で形成される。一般的に、構造物の内部は、本質的に円形であるか又はほぼ円形の構成である（楕円又は多角形の形状を含む）。観衆のメンバーは、通路を横切って入場し、通路は、映画の上映が始まる前に引っ込めることができる。或いは又、観衆は、着席（又は起立）壇において劇場へと機械的に移動されてもよい。
【０００７】
最初、観衆メンバーは、彼らが移動ベース劇場にいるという指示がなくてもよい。むしろ、彼らの周囲は、構造物が典型的な固定の劇場であるという印象を与える。スクリーンは、実質的に又は完全に観衆の座席を取り巻き、連続的な３６０度＋映像ビューを与える。スクリーンは、円筒形でもよいし、複合曲率を有してもよいし、或いはフラットな隣接又は近隣セクションで作られてもよい。スクリーンは、座席に対して移動することができる。例えば、スクリーンは、観衆が劇場に入場及び退場するときの上昇した位置から、映画上映中の降下した位置へと移動することができる。
【０００８】
観衆のメンバーのための座席は、円形移動ベース壇に設けることができる。座席には、シートベルトのような座席拘束物や、芳香、ネックブラスト、ウインドブラスト、レッグチクラー、及びシートランブルのような種々の特殊効果を装備することができる。スクリーンは、観衆座席の少なくとも一部分を取り巻いて設けられる。１つの設計において、スクリーンは、約３６０度の弧を有する。スクリーンは、移動ベース壇の座席を取り巻くように上から下げられ、シームレスなメディアを形成する。２Ｄ及び／又は３Ｄ投影システムは、構造物内において、スクリーンに映像を投影するように方向付けされる。或いは又、例えば、ＬＣＤ、プラズマ、ＤＬＰ、等により、スクリーン自体が映像を発生するような、他の非投影型映像形成技術が使用されてもよい。
【０００９】
電子制御システムを使用して、移動ベースを移動することができる。種々の移動、又は移動の組合せを使用することができる。これらは、回転、ピッチ及びロールを含む。波打ち、サージ、及びヨーを使用することもできる。電子制御システムは、音及び投影されたメディアと同期され、そこにいるかのように、スクリーン上のアクションに完全に没入される真に迫った感覚を視聴者に与えることができる。このシステムは、種々の座席方向、固定スクリーン、種々のスクリーン構成、及びモジュラートラック移動座席を含む多数の変形を含むことができる。
【００１０】
劇場は、特定の娯楽又は教育体験をシミュレーションする感覚を与えるように設計することができる。劇場は、標準的な非移動ベース劇場の最初の印象を形成し、従って、座席エリアが移動を開始すると、驚きの要素を与えることができる。特定の環境、筋書き、経験、及び／又はアクションへの没入をシミュレーションする視覚的、直観的、触覚的及び聴覚的感覚を観衆に受けさせながら、同期した移動が観衆に与えられる。
【００１１】
娯楽構造物又は劇場は、観衆のメンバーの座席を配列し、特殊効果を装備するところの移動ベース壇と、この移動ベース壇を回転可能に装着するところの支持手段と、移動ベース壇を水平から必要な方向に傾斜、ピッチ及びロールするように動作できる方向可変手段と、前記移動ベース壇を回転するように動作できる駆動手段と、を有することができる。駆動システムは、前記方向可変手段を操作するように動作できる。観客が移動ベース壇へアクセスするための通路を設けることができる。
【００１２】
複合曲線の３６０度の可動スクリーン、縁混合のための投影重畳を伴う２Ｄ／３Ｄ投影システム、及びスクリーンの操作を制御するように動作できる制御手段を使用することができる。投影の重畳は、約１５％から３０％でよい。特殊効果も使用できる。
【００１３】
１つの設計において、支持壇が回転可能に装着され、又、移動ベースシステムによっていかなる方向にも傾斜可能である。ベースピッチは、約３ＤＯＦ（自由度）（１ないし６度）であり、そしてベース回転は、約１ないし１２ＲＰＭである。このような構成では、移動ベース壇を逆方向回転するための可逆駆動手段が設けられる。移動ベース壇上の座席は、いかなる数でもよく、そして座席が劇場の中央に向かって内方を向く方向付けを含むいかなる構成で配列されてもよい（各座席は、半径上に整列された前方を向いた公称視線を与える）。又、座席は、対応的に、中心から外方を向いてもよい。又、座席の配列は、周囲に１８０度から３６０度の範囲であり、それらの間でいかようにも変えられる。
【００１４】
移動ベース壇は、円形構成から回転し且つトラックシステムに沿って劇場から移動する機能が装備された２ないし１２の個別のトラックセクション又は４ないし２８の座席「ビヒクル」を伴うモジュラー構成でよい。
【００１５】
劇場の座席は、上映の特定の要求及びニーズを安全に受け入れるように設計された座席拘束物を装備することができる。更に、座席それ自体には、芳香、ネックブラスト、ウインドブラスト、レッグチクラー及びシートランブルのような種々の効果を装備することができる。
【００１６】
シザーリフト、エレベーター、跳ね橋、又は同様の通路を劇場の１つの位置、又は２つ以上の位置に配置して、観衆が劇場へアクセスできるようにしてもよい。通路は、必要に応じて、観衆メンバーが移動ベース劇場壇へ歩くのを許す位置へ移動することができる。次いで、通路は、移動ベースの動きを妨げないように、ショーの間に除去又は引っ込められる。限定移動の設計では、固定の通路及び融通性のある通路を使用してもよい。通路の形式、数及び位置は、劇場にとって本質的なものでないので、使用する通路の位置及び数を変更してもよい。固定スクリーン構成では、通路が必要とされない。
【００１７】
ここに述べる移動ベース劇場は、映画娯楽及び教育目的に使用することができる。この劇場は、移動ベース壇に隣接した位置から上方に延びる３６０度の複合曲線スクリーンを備えることができる。このスクリーンは、天井装着部に隠される。適当な時間に、スクリーンは、移動ベース壇内及び／又はその周囲の位置へ下げられる。上映が終わると、スクリーンは、持ち上げられ、元の位置に戻される。
【００１８】
又、スクリーンは、固定でもよく、入場及び退場を受け入れるように座席が対応的に減少されてもよい。更に、スクリーンは、球状ドーム又は円筒の形状でもよく、スクリーンの上げ下げの速度が適度に調整される。又、移動ベース壇は、上げ下げできる５ないし１７又はそれ以上のフラットな投影スクリーンの配列体により取り囲まれてもよい。
【００１９】
２Ｄ及び／又は３Ｄのメディアプロジェクタ又はプロジェクタシステムは、移動ベース壇の可逆回転中に、移動ベース壇と共に移動するように装着することができる。視覚及び聴覚のみで知覚される移動についての観衆メンバーの知覚性を高めるために、移動ベース壇の移動をメディア投影のアクションと同期させるのが好都合である。更に、２Ｄ及び／又は３Ｄ投影システムは、構造体内で、例えば、１５％、２０％、２５％又は３０％の投影重畳を利用することによりスクリーン（１つ又は複数）に映像を投影するように方向付けされ、シームレスの縁混合された３６０度の映像（１つ又は複数）を形成することができる。
【００２０】
又、劇場は、移動ベース壇の移動をスクリーン上のアクションと一体化するように動作できる電子又はコンピュータコントローラを更に備えることもできる。このコントローラは、可逆回転に影響する駆動手段、及び移動ベース壇をその垂直軸の周りで全て３６０度に傾斜、ピッチ及びロールさせる駆動システムの動作を制御するように動作できる。このコントローラは、見ているメディア上映とは独立して、しかし、それと同期して、動作することができる。
【００２１】
或いは又、コントローラは、メディアの上映と動作上一体化され、そしてメディアに埋め込まれるか又は投影システムから発せられる信号（１つ又は複数）に応答して動作することができる。最も便利なことに、コントローラは、マイクロプロセッサを備え、いずれの場合にも、マイクロプロセッサによりプロジェクタ又はプロジェクタシステムにキューが出される。従って、電子制御システムは、音及び投影されたメディアと同期され、そこにいるかのように、スクリーン上のアクションに完全に没入される真に迫った感覚を視聴者に与えることができる。
【００２２】
１つの態様では、娯楽構造体は、各チャンネルに各々のスピーカユニットを含むマルチチャンネルシステムと共にサラウンドサウンドオーディオコンポーネントを有することができる。スピーカは、観衆が没入する最適なレベルのために装着される。使用中、スピーカシステムは、典型的に、中央位置に配置され、各スピーカユニットは、その出力を各々の方向に対向壁面に指向してその壁面から跳ね返るように向けられる。
【００２３】
添付図面では、多数の図面にわたり同じ要素が同じ参照番号で示されている。
【発明を実施するための最良の形態】
【００２４】
以下に述べる各々の実施形態において、座席は、移動ベースに支持される。移動ベースは、典型的に、ピッチ、ロール及びヨー運動を与えることができる。ある設計では、これらの運動の１つ又は２つだけが使用される。他の設計では、これら３つの運動を他の運動と共に使用することができる。３６０度＋回転運動も与えることができる。単一の大きな移動ベースに代わって、複数の個別の小さな移動ベースを使用することもできる。劇場内に複数のプロジェクタを使用して、シームレスな縁混合映像を与えることができる。スクリーン上での映像の移動は、一般に、移動ベースにおける劇場座席の移動と共に振りつけられ、即ち同期がとられる。
【００２５】
ここに示すいずれの実施形態におけるいずれの特徴又は要素も、他の実施形態と共に、又はその中で使用することができる。例えば、ここに示すいずれの実施形態における座席も、内方又は外方を向くことができる。投影スクリーンは、連続的な３６０度の円筒壁、ドーム、又は複合曲線構造体を形成してもよいし、或いはスクリーンは、座席の周りに部分的に延びるだけでもよい。又、スクリーンは、フラットでもよいし、多角形を形成する別々に上昇及び下降できるセグメントで形成されてもよい。座席は、ほとんど完全な円又は半円を形成する同心的又は非同心的な行で設けられてもよい。座席の位置は、一般に、劇場の半径と整列されるが、座席は、平行な座席、即ち実質的に全ての座席が同じ方向を向く（及び座席が一般的に平行な視線を有する）ものも含めて、他の角度に方向付けされてもよい。
【００２６】
添付図面の図１は、３６０°の複合曲線スクリーン４０と、出入口２０と、フロア３０とを有する移動ベース劇場１０を示している。構造物の外壁１２は、この実施形態では、長方形を形成する。劇場の外部は、円形及び多角形を含むいずれの形状に形成することもできる。投影重畳部１１０は、約５ないし３０％で、シームレスな縁混合投影映像（１つ又は複数）を形成することができる。
【００２７】
図２から３に示すように、座席５５は、移動ベース６０上に配列され、そして劇場内の種々の位置にプロジェクタ５０を装着することができる。移動ベース６０は、図２に示すように、メディア上映中に、傾斜、ロール又はピッチ運動させることができる。
【００２８】
図４ないし６に示す別の実施形態では、座席モジュール８０は、トラック上を劇場内へ及び劇場から移動することができる。観衆が劇場内へ歩いて出入りできるように入口２２又は出口２４にシザーリフト７０を使用するのも任意である。図５から６に示すように、複合曲線スクリーン４０は、天井装着部に隠されていて、適当な時間に、移動ベース壇を取り巻く位置へ下げられる。
【００２９】
図７から９に示す別の実施形態では、座席は、劇場の中心線の片側のみに設けられて、内方を向いている。個別の入口２２及び出口２４が互いに隣接して設けられる。
【００３０】
図１０から１２に示す別の実施形態では、個別の入口２２及び出口２４が互いに対向して設けられる。座席の段は、段階的な高さに配列することができる。
【００３１】
図１３から１５に示す別の実施形態では、座席は、外方を向いた同心的な行において配列することができる。
【００３２】
図１６から１８に示す別の実施形態では、座席は、適当な時間に観衆の周りで上げ下げすることのできるドーム状のスクリーン１００を有する。
【００３３】
図１９から２１に示す別の実施形態では、座席は、適当な時間に観衆の周りで上げ下げすることのできる３６０°のスクリーン１２０を有する。
【００３４】
図２２から２４に示す別の実施形態では、観衆メンバーの入場及び退場を容易にするために出入口２０に階段が使用される。図２２に示すように、投影重畳部は、約２５％である。
【００３５】
図２５から２７に示す別の実施形態では、移動ベース劇場１０は、多角形の内部形状を有し、フラットな投影スクリーン１３０がセグメントに分割されている。
【００３６】
図２８から３０に示す別の実施形態では、観衆が懸架座席１５０に座り、適当な時間に劇場へと降下される。懸架座席１５０は、座席フレーム１５２に堅牢に取り付けられ又は枢着される。座席フレームは、軸１５４上で回転されて、観衆に遠心力を加えるのも任意である。座席１５０が座席フレーム１５２に堅牢に取り付けられる場合には、フレームのサイド部材１５４の角度ＡＡがアクチュエータ１５６により選択的に変えられる。フレームサイド部材の角度ＡＡが減少すると、座席が若干アップ方向に傾斜される。この力は、観衆を座席の後方に更に押しやり、実際に移動せずに物理的な加速感を生じさせる。逆に、アクチュエータ１５６がフレームのサイド部材を移動して角度ＡＡを増加すると、座席は若干ダウン方向に傾斜される。この力は、観衆を座席の前方に押しやり、物理的なブレーキ即ち減速感を生じさせる。或いは又、懸架座席が固定の垂直位置にあって、スクリーンが座席を取り巻く位置へアップ又はダウン方向に移動されてもよい。
【００３７】
多数の実施形態を図示して説明したが、当然、本発明の精神及び範囲から逸脱せずに、種々の変更や置き換えが可能である。それ故、本発明は、特許請求の範囲及びその等効物以外のもので限定されることはない。
【００３８】
米国出願の優先権主張：本出願は、参考としてここに援用する２００６年２月２３日に出願された米国プロビジョナル特許出願第６０／７７６，０２５号の利益を主張する。
【図面の簡単な説明】
【００３９】
【図１】複合曲線固定スクリーンを有する移動ベース劇場の平面図である。
【図２】図１の２−２線に沿った断面図で、劇場をショーの位置で示す図である。
【図３】図１の２−２線に沿った断面図で、移動ベースにおける座席の移動を示す図である。
【図４】複合曲線スクリーン及びモジュラートラック移動座席を有する移動ベース劇場の第２の実施形態を示す図である。スクリーンは、スクリーンが座席の上にあるロード／アンロード位置から、スクリーンが座席を取り巻くショー位置へと垂直に移動できる。座席は、劇場へ及び劇場から移動するモジュールに設けられる。座席モジュールは、セクター形状で設けられる。又、これは、劇場の第２の実施形態の平面図である。
【図５】複合曲線スクリーン及びモジュラートラック移動座席を有する移動ベース劇場の第２の実施形態を示す図である。スクリーンは、スクリーンが座席の上にあるロード／アンロード位置から、スクリーンが座席を取り巻くショー位置へと垂直に移動できる。座席は、劇場へ及び劇場から移動するモジュールに設けられる。座席モジュールは、図４に示すようにセクター形状で設けられる。又、これは、図４の５−５線に沿った断面図で、劇場をロード／アンロード位置で示している。
【図６】複合曲線スクリーン及びモジュラートラック移動座席を有する移動ベース劇場の第２の実施形態を示す図である。スクリーンは、スクリーンが座席の上にあるロード／アンロード位置から、スクリーンが座席を取り巻くショー位置へと垂直に移動できる。座席は、劇場へ及び劇場から移動するモジュールに設けられる。座席モジュールは、図４に示すようにセクター形状で設けられる。又、これは、図４の５−５線に沿った断面図で、劇場をショー位置で示している。
【図７】劇場の中心線の片側のみに座席が設けられた移動ベース劇場の第３の実施形態を示す図である。座席は内方を向いている。又、これは、ベースステーション劇場の第３の実施形態の平面図である。
【図８】劇場の中心線の片側のみに座席が設けられた移動ベース劇場の第３の実施形態を示す図である。座席は内方を向いている。又、これは、図７の８−８線に沿った断面図で、劇場をショー位置で示している。
【図９】劇場の中心線の片側のみに座席が設けられた移動ベース劇場の第３の実施形態を示す図である。座席は内方を向いている。又、これは、図７の８−８線に沿った断面図で、投影、及び移動ベースにおける座席の移動を示している。
【図１０】個別の入口及び出口をもち、八角形の外部構造形状を有する移動ベース劇場の第４の実施形態を示す図である。又、これは、移動ベース劇場の第４の実施形態の平面図である。
【図１１】個別の入口及び出口をもち、八角形の外部構造形状を有する移動ベース劇場の第４の実施形態を示す図である。又、これは、図１０の１１−１１線に沿った断面図で、劇場をロード／アンロード位置で示している。
【図１２】個別の入口及び出口をもち、八角形の外部構造形状を有する移動ベース劇場の第４の実施形態を示す図である。又、これは、図１０の１１−１１線に沿った断面図で、劇場をショー位置で示し、且つ移動ベースにおける座席の移動を示している。
【図１３】図１０から１２に示す劇場に類似しているが、座席が互いに内方に向いているのではなくスクリーンに向かって外方に向いている移動ベース劇場の第５の実施形態を示す図である。図１３から１５の説明は、図１０から１２の説明に対応する。
【図１４】図１０から１２に示す劇場に類似しているが、座席が互いに内方に向いているのではなくスクリーンに向かって外方に向いている移動ベース劇場の第５の実施形態を示す図である。図１３から１５の説明は、図１０から１２の説明に対応する。
【図１５】図１０から１２に示す劇場に類似しているが、座席が互いに内方に向いているのではなくスクリーンに向かって外方に向いている移動ベース劇場の第５の実施形態を示す図である。図１３から１５の説明は、図１０から１２の説明に対応する。
【図１６】ロード／アンロード位置からショー位置へと垂直方向に移動可能なドームスクリーンを有する移動ベース劇場の第６の実施形態を示す図である。座席は、劇場の中心に向かって内方に向けて示されている。又、これは、移動ベース劇場の第６の実施形態の平面図である。
【図１７】ロード／アンロード位置からショー位置へと垂直方向に移動可能なドームスクリーンを有する移動ベース劇場の第６の実施形態を示す図である。座席は、劇場の中心に向かって内方に向けて示されている。又、これは、図１６の１７−１７線に沿った断面図で、劇場をロード／アンロード位置で示している。
【図１８】ロード／アンロード位置からショー位置へと垂直方向に移動可能なドームスクリーンを有する移動ベース劇場の第６の実施形態を示す図である。座席は、劇場の中心に向かって内方に向けて示されている。又、これは、図１６の１７−１７線に沿った断面図で、劇場をショー位置で示し、且つ移動ベースにおける座席の移動を示している。
【図１９】ロード／アンロード位置からショー位置へと垂直方向に移動可能な円筒状スクリーンを有する移動ベース劇場の第７の実施形態を示す図である。座席は、内方を向いている。図１９から２１の説明は、図１０から１２の説明と同じである。
【図２０】ロード／アンロード位置からショー位置へと垂直方向に移動可能な円筒状スクリーンを有する移動ベース劇場の第７の実施形態を示す図である。座席は、内方を向いている。図１９から２１の説明は、図１０から１２の説明と同じである。
【図２１】ロード／アンロード位置からショー位置へと垂直方向に移動可能な円筒状スクリーンを有する移動ベース劇場の第７の実施形態を示す図である。座席は、内方を向いている。図１９から２１の説明は、図１０から１２の説明と同じである。
【図２２】円筒状スクリーン、減少された数の座席、及び座席壇へ通じる階段を有する移動ベース劇場の第８の実施形態を示す図である。又、これは、移動ベース劇場の第８の実施形態の平面図である。
【図２３】円筒状スクリーン、減少された数の座席、及び座席壇へ通じる階段を有する移動ベース劇場の第８の実施形態を示す図である。又、これは、図２２の２３−２３線に沿った断面図である。
【図２４】円筒状スクリーン、減少された数の座席、及び座席壇へ通じる階段を有する移動ベース劇場の第８の実施形態を示す図である。又、これは、図２２の２３−２３線に沿った断面図で、投影を示すと共に、移動ベースにおける座席の移動を示している。
【図２５】フラットなセグメントで形成された投影スクリーンを有する移動ベース劇場の第９の実施形態を示す図である。投影スクリーンは、ロード／アンロード位置からショー位置へ移動することができる。座席は、内方に向いている。図２５から２７の説明は、図１０から１２の説明と同じである。
【図２６】フラットなセグメントで形成された投影スクリーンを有する移動ベース劇場の第９の実施形態を示す図である。投影スクリーンは、ロード／アンロード位置からショー位置へ移動することができる。座席は、内方に向いている。図２５から２７の説明は、図１０から１２の説明と同じである。
【図２７】フラットなセグメントで形成された投影スクリーンを有する移動ベース劇場の第９の実施形態を示す図である。投影スクリーンは、ロード／アンロード位置からショー位置へ移動することができる。座席は、内方に向いている。図２５から２７の説明は、図１０から１２の説明と同じである。
【図２８】観衆が最初に座席に座り、次いで、劇場へと降下される座席配列を有する移動ベース劇場の第１０の実施形態を示す図である。又、これは、移動ベース劇場の第１０の実施形態の平面図である。
【図２９】観衆が最初に座席に座り、次いで、劇場へと降下される座席配列を有する移動ベース劇場の第１０の実施形態を示す図である。又、これは、図２８の２９−２９線に沿った断面図で、劇場を、観衆がまだ劇場の上にいるロード／アンロード位置で示している。
【図３０】観衆が最初に座席に座り、次いで、劇場へと降下される座席配列を有する移動ベース劇場の第１０の実施形態を示す図である。又、これは、図２８の２９−２９線に沿った断面図で、劇場を、観衆がしかるべき位置にいるショー位置で示している。
【図１】
2009528086.tif 000003
【図２】
2009528086.tif 000004
【図３】
2009528086.tif 000005
【図４】
2009528086.tif 000006
【図５】
2009528086.tif 000007
【図６】
2009528086.tif 000008
【図７】
2009528086.tif 000009
【図８】
2009528086.tif 000010
【図９】
2009528086.tif 000011
【図１０】
2009528086.tif 000012
【図１１】
2009528086.tif 000013
【図１２】
2009528086.tif 000014
【図１３】
2009528086.tif 000015
【図１４】
2009528086.tif 000016
【図１５】
2009528086.tif 000017
【図１６】
2009528086.tif 000018
【図１７】
2009528086.tif 000019
【図１８】
2009528086.tif 000020
【図１９】
2009528086.tif 000021
【図２０】
2009528086.tif 000022
【図２１】
2009528086.tif 000023
【図２２】
2009528086.tif 000024
【図２３】
2009528086.tif 000025
【図２４】
2009528086.tif 000026
【図２５】
2009528086.tif 000027
【図２６】
2009528086.tif 000028
【図２７】
2009528086.tif 000029
【図２８】
2009528086.tif 000030
【図２９】
2009528086.tif 000031
【図３０】
2009528086.tif 000032
【国際調査報告】
2009528086.tif 000033